(57)【要約】【課題】重量物の下部側面の４箇所に容易に取り付けられ、作業者が当該重量物等を安全かつ容易に運搬できる運搬用持ち手を提供する。【解決手段】断面鍵型の２つの板片１ａ、１ｂからなる本体１が設けられ、当該本体１の一方の板片１ａの中央部に、他方の板片１ｂと接する端縁に略直角な方向に貫通長孔２が設けられ、当該貫通長孔２に、重量物の小孔を通る棒状の係止体３が貫通され、当該係止体３の、他方の板片１ｂ側に突出した先端部側面に爪４が突設され、当該爪４は前記重量物の小孔に引っ掛かる大きさで、当該係止体の側面に常時突出するようバネにより付勢され、前記係止体３の他方の端部の外周ネジ３ａにナット５が螺着され、当該本体１の両端部２箇所に、上記本体１の２つの板片１ａ、１ｂと夫々略平行な外端部を有する支持脚７が相対向して設けられ、当該支持脚７の間に２つの把手８が設けられている。【選択図】        図１
0003210401.tif 000002
【実用新案登録請求の範囲】
【請求項１】
一対の相対向する側面又は背面の端縁部に夫々複数の小孔を有する略直方体形状の重量物を倒した際の側面と背面との角部に取付ける運送用持ち手であって、
断面鍵型の２つの板片からなる一定幅の本体が設けられ、当該本体の一方の板片の中央部に、他方の板片と接する端縁に略直角な方向に貫通長孔が設けられ、当該貫通長孔に、前記重量物の小孔を通る外径を有する棒状の係止体が貫通され、
当該係止体の、他方の板片側に突出した先端部側面に爪が突設され、当該爪は前記重量物の小孔に引っ掛かる大きさで、当該係止体の側面に突出自在であるが常時外方に突出するようバネにより付勢され、前記一方の板片の外側に突出した係止体の端部の外周ネジにナットが螺着され、
当該本体の長手方向両端部２箇所に、上記本体の２つの板片と夫々略平行な外端部を有する支持脚が相対向して設けられ、これらの支持脚の間に２つの把手が渡して設けられ、当該２つの把手は夫々前記本体の２つの前記各板片又はその延長線上に対向して設けられたことを特徴とする、重量物運搬用持ち手。
【請求項２】
前記相対向する各支持脚は２片に分かれ、前記本体の２つの板片に夫々対応して各板片の外側に設けられ、分かれた各支持脚の相対向する支持脚間に前記把手が設けられたことを特徴とする、請求項１に記載の重量物運搬用持ち手。
【請求項３】
前記各支持脚は略四角形の１角部が鉤型に切欠された形状で、当該切欠部を前記本体の２つの板片の外側角部に当接、固定させて成ることを特徴とする、請求項１に記載の重量物運搬用持ち手。
【請求項４】
前記係止体の一方の板片と爪との間の外周に、当該板片の貫通長孔の幅より大きい外径を有するワッシャーが被冠されていることを特徴とする、請求項１〜３のいずれかに記載の重量物運搬用持ち手。
【考案の詳細な説明】
【技術分野】
【０００１】
この考案は、分電盤等の重量物の運搬に際し、当該重量物の四方に係止して複数の作業者が運搬するのに使用する重量物運搬用持ち手に関するものである。
【背景技術】
【０００２】
分電盤や直方体形状の重量物又はこれらが包装された梱包体は、作業者が手に持って運搬する際、外周面に取っ手等がないため滑りやすく、極めて運搬しづらい。このため、これらの下面と床の間で手を挟んだり、足を挟んだりする等の事故が発生しやすい。
【０００３】
そこで、特許文献１に示す様に、搬入物を載置して運ぶ、少なくとも上面を開放した搬入出台の前後の側板に一対の把手を設け、当該一対の把手の一方は搬入出台より高い位置に、他方の把手は搬入出台より低い位置に夫々設けた搬入出装置が開発された。
【０００４】
これにより重量のある搬入物を当該搬入出台に載置し、２人の作業者が前後の把手をもって当該搬入物を運べば、階段を搬入出するとき、作業者が手で持つ把手高さが比較的自然な位置となり、楽な姿勢で運搬できる。
【先行技術文献】
【特許文献】
【０００５】
【特許文献１】特開平６−２６３２２１号公報
【考案の開示】
【考案が解決しようとする課題】
【０００６】
しかしながら、前記特許文献１のものは、搬入出台に収まる大きさの搬入物しか運搬できない。また、搬入物の重量が大きい場合、２人の作業者が同時に搬入物を持ち上げて搬入出台に入れなければならず、依然として重量の大きい搬入物を持ち上げる際、手や足を挟んでしまう危険性がある。
【０００７】
そこで、この考案はこれらの点に着目し、重量物の下部側面の４箇所に容易に取り付けられ、作業者が当該重量物等を安全かつ容易に運搬できる運搬用持ち手を提供することを目的としたものである。
【課題を解決するための手段】
【０００８】
請求項１の考案は、一対の相対向する側面又は背面の端縁部に夫々複数の小孔を有する略直方体形状の重量物を倒した際の側面と背面との角部に取付ける運送用持ち手であって、断面鍵型の２つの板片からなる一定幅の本体が設けられ、当該本体の一方の板片の中央部に、他方の板片と接する端縁に略直角な方向に貫通長孔が設けられ、当該貫通長孔に、前記重量物の小孔を通る外径を有する棒状の係止体が貫通され、当該係止体の、他方の板片側に突出した先端部側面に爪が突設され、当該爪は前記重量物の小孔に引っ掛かる大きさで、当該係止体の側面に突出自在であるが常時外方に突出するようバネにより付勢され、前記一方の板片の外側に突出した係止体の端部の外周ネジにナットが螺着され、当該本体の長手方向両端部２箇所に、上記本体の２つの板片と夫々略平行な外端部を有する支持脚が相対向して設けられ、これらの支持脚の間に２つの把手が渡して設けられ、当該２つの把手は夫々前記本体の２つの前記各板片又はその延長線上に対向して設けられた、重量物運搬用持ち手とした。
【０００９】
また、請求項２の考案は、前記相対向する各支持脚は２片に分かれ、前記本体の２つの板片に夫々対応して各板片の外側に設けられ、分かれた各支持脚の相対向する支持脚間に前記把手が設けられた、請求項１に記載の重量物運搬用持ち手とした。
【００１０】
また、請求項３の考案は、前記各支持脚は略四角形の１角部が鉤型に切欠された形状で、当該切欠部を前記本体の２つの板片の外側角部に当接、固定させて成る、請求項１に記載の重量物運搬用持ち手とした。
【００１１】
また、請求項４の考案は、前記係止体の一方の板片と爪との間の外周に、当該板片の貫通長孔の幅より大きい外径を有するワッシャーが被冠されている、請求項１〜３のいずれかに記載の重量物運搬用持ち手とした。
【考案の効果】
【００１２】
請求項１〜３の考案の持ち手によれば、分電盤等の略立方体形状の重量物の４隅の端部に当該持ち手を容易に係止しできる。この様に４個の持ち手を重量物の四隅に装着すると、重量物が床から浮き上がり、かつ重量物の外側に各把手が水平に突出しているため、作業者は各持ち手の把手を手で持って容易に重量物を運搬できる。また、持ち手の重量物への装着の際、重量物の一端を床から持ち上げて、持ち上げた端部に持ち手を一個づつ係止し、その後重量物の他端を床から持ち上げてそこに持ち手を係止できる。従って、作業者の手や足を挟む恐れがない。
【００１３】
また、重量物の小孔が、側面又は背面にあれば、持ち手は、本体を形成する鍵型の板片の一方の板片から突出する係止体を横や縦にして持ち手を重量物に係止でき、多種の重量物に係止できる。
【００１４】
また、請求項４の考案によれば、重量物の小孔の周囲の側壁を、爪とワッシャーで挟んで持ち手を重量物に安定して係止できる。また、持ち手を使用しない状態において、ワッシャーがあるため、係止体が貫通長孔から外れたりせず、管理が容易である。
【図面の簡単な説明】
【００１５】
【図１】この考案の実施の形態例１の持ち手の側面図である。
【図２】この考案の実施の形態例１の持ち手の正面図である。
【図３】この考案の実施の形態例１の持ち手の断面図である。
【図４】この考案の実施の形態例１の持ち手の正面斜視図である。
【図５】この考案の実施の形態例１の持ち手の背面斜視図である。
【図６】この考案の実施の形態例１の持ち手の使用状態における準備状態の斜視図である。
【図７】この考案の実施の形態例１の持ち手の使用状態を示す正面図である。
【図８】この考案の実施の形態例１の持ち手の使用状態を示す一端の拡大断面図である。
【図９】この考案の実施の形態例１の持ち手の使用状態を示す他端の拡大断面図である。
【図１０】この考案の実施の形態例２の持ち手の側面図である。
【図１１】この考案の実施の形態例２の持ち手の正面図である。
【図１２】この考案の実施の形態例２の持ち手の断面図である。
【図１３】この考案の実施の形態例２の持ち手の正面斜視図である。
【図１４】この考案の実施の形態例２の持ち手の背面斜視図である。
【図１５】この考案の実施の形態例２の持ち手の使用状態を示す正面図である。
【図１６】この考案の実施の形態例２の持ち手の使用状態を示す一端の拡大断面図である。
【考案を実施するための形態】
【００１６】
（実施の形態例１）
この考案の実施の形態例１の持ち手Ａを図１〜５に基づいて説明する。
【００１７】
持ち手Ａは、底面及び背面の端縁部に夫々ボルトを通す小孔を有する略直方体形状の分電盤Ｃを倒した状態で２人の作業者が運搬する際等に、分電盤の底面や上面と背面との角部に取付ける運送用持ち手である（図６参照）。
【００１８】
この持ち手Ａは、断面鍵型の２つの板片１ａ，１ｂからなる一定幅の本体１が設けられている。当該本体１の一方の板片１ａの中央部に、他方の板片１ｂと接する端縁に対して略直角な方向に貫通長孔２が設けられ、当該貫通長孔２に、前記分電盤Ｃの小孔を通る外径を有する棒状の係止体３が貫通されている。
【００１９】
当該係止体３の、他方の板片１ｂ側に突出した先端部側面に爪４が突設され、当該爪４は前記分電盤Ｃの小孔に引っ掛かる大きさで、当該係止体３の側面に突出自在となっているが、常時は外方に突出するようバネ（図示省略）により付勢されている。従って、上記バネの力に抗して爪４を押すと、係止体３の側面に穿った溝に入り、係止体３の側面に突出しないようになっている。
【００２０】
また、前記一方の板片１ａの外側に突出した係止体３の端部には外周ネジ３ａが設けられ、当該外周ネジ３ａにナット５が螺着されている。また、前記係止体３の爪４と一方の板片１ａとの間の係止片３の外周には、前記貫通長孔２の幅より大きい外径のワッシャー６が被冠されている。
【００２１】
また、前記本体１の長手方向両端部の外側に、上記本体１の２つの各板片１ａ、１ｂと夫々平行な外端部を有する略四角形の支持脚７が夫々相対向して設けられ、これらの相対向する支持脚７の間に把手８が夫々渡して設けられ、当該２つの把手８は前記本体１の２つの前記各板体１ａ、１ｂ又はそれらの延長線上に対向して夫々設けられている。また、前記各支持脚７は、本体１の各板片１ａ、１ｂと平行な外端縁を有している。
【００２２】
次のこの実施の形態例１の持ち手Ａの使用状態を図６〜図９に基づいて説明する。
【００２３】
図６に示す様に、略直方体形状の分電盤Ｃを倒した状態で２〜４人の作業者が当該分電盤Ｃの両端部を持って運搬する際にし、分電盤Ｃの底面や上面と背面との角部に前記持ち手Ａを配置する。当該分電盤Ｃには、その底面Ｃ１の四隅にボルトを通す小孔９が設けられ、また、背面Ｃ２の上端部の左右２箇所にも小孔（図示省略）が設けられている。
【００２４】
当該分電盤Ｃの底面Ｃ１側を持ち上げて、背面Ｃ２との角部の２箇所に各持ち手Ａを差し入れる。その際、各持ち手Ａの係止体３の位置を貫通長孔２内で動かして調整し、前記分電盤Ｃの底面Ｃ１の小孔９に挿入する。すると係止体３の爪４がバネの力に抗して引っ込み、小孔９内に係止体３を挿入し、小孔９の内部で爪４が突出し、係止体３の外周ネジ３ａに螺着したナット５を締め付ける。    
【００２５】
これにより係止体３が板片１ａ方向に引っ張られ、爪４とワッシャー６との間に分電盤Ｃの側板が挟持され、持ち手Ａは分電盤Ｃに係止される。そして、２つの持ち手Ａが分電盤Ｃの一側端の前後両側に係止される。また、分電盤Ｃの他側端の上面と背面の角部の２箇所に持ち手Ａを差し入れる。
【００２６】
この場合は、各持ち手Ａは図７及び図９に示す様に板体１の板片１ａを水平にし、板片１ｂを垂直にする。そして、係止体３を分電盤Ｃの背面の両側２箇所の小孔に、前述と同様に挿入し、各持ち手Ａを係止する。
【００２７】
以上により、分電盤Ｃの四隅の下端部に持ち手Ａが係止され、各持ち手Ａの把手８が分電盤Ｃの外側に、略水平に突出する。これにより２〜４人の各作業者は分電盤Ｃの両端の２つの把手７を手で持って容易に運ぶことができる。
【００２８】
（実施の形態例２）
次に、この考案の実施の形態例２の持ち手Ｂを図１０〜１４に基づいて説明する。
この実施の形態例２は、実施の形態例１と同じ構造であり、支持脚７及び把手８のみが異なる。従って、異なる構造についてのみ説明する。
【００２９】
この持ち手Ｂは、本体１の外側角部に一体型の支持脚７´が設けられている。
当該支持脚７´は略正四角形の１角部が鉤型に切欠された切欠部１０を有する形状で、当該切欠部１０を前記本体１の２つの板片１ａ、１ｂの外側角部に当接させて固定したものである。
【００３０】
そして、図１０〜１２に示す様に、相対向する支持脚７´の間に把手８を２個、
各板片１ａ、１ｂに平行に夫々設けている。これらの各把手８は前記切欠部１０に近い、支持脚７´の２つの角部に設けられている。また、前記各支持脚７´は本体１の各板片１ａ、１ｂに夫々略平行な外端縁を有している。
【００３１】
この持ち手Ｂを分電盤Ｃに装着して、分電盤Ｃを持ち運ぶ。それには、図示は省略したが、実施の形態例１と同様に、４個の持ち手Ｂを用意し、横に倒した分電盤Ｃの四隅に配置する。
【００３２】
そして、当該分電盤Ｃの底面Ｃ１側を持ち上げて、背面Ｃ２との角部の２箇所に各持ち手Ｂを差し入れる。その際、各持ち手Ｂの係止体３の位置を貫通長孔２内で動かして調整し、前記分電盤Ｃの底面Ｃ１の小孔９（図１６参照）に挿入する。すると係止体３の爪４がバネの力に抗して引っ込み、小孔９内に係止体３を挿入し、小孔９の内部で爪４が突出し、係止体３の外周ネジ３ａに螺摘したナット５を締め付ける。  
【００３３】
これにより係止体３が板片１ａ方向に引っ張られ、爪４とワッシャー６との間に分電盤Ｃの側板が挟持され、持ち手Ｂは分電盤Ｃに係止される。そして、２つの持ち手Ｂが分電盤Ｃの一側端の前後両側に係止される。
【００３４】
また、分電盤Ｃの他側端の上面と背面の角部の２箇所に持ち手Ｂを差し入れる。
この場合は、各持ち手Ｂは図１５に示す様に板体１の板片１ａを水平にし、板片１ｂを垂直にする。そして、係止体３を分電盤Ｃの背面の両側２箇所の小孔に、前述と同様に挿入し、各持ち手Ｂを分電盤Ｃに係止する。
【００３５】
以上により、分電盤Ｃの四隅の下端部に持ち手Ｂが係止され、各持ち手Ｂの把手８が分電盤Ｃの外側に、略水平に突出する。これにより２〜４人の各作業者は分電盤Ｃの両端の２つの把手８を手で持って容易に運ぶことができる。
【００３６】
なお、上記実施の形態例１では、支持脚７を略四辺形としたが、必ずしも四辺形でなくてもよく、支持脚７は、少なくとも本体１の各板片１ａ、１ｂと平行な外端縁を有していれば良い。同様に実施の形態例２の支持脚７´も略正四角形としているが、略四角形でも良く、少なくとも本体１の各板片１ａ、１ｂと平行な外端縁を有していれば良い。
【００３７】
また、上記実施の形態例１、２では係止体３にワッシャー６を設けているが、当該ワッシャー６は必ずしも設けなくてもよい。その場合、分電盤Ｃの小孔９の周囲の側板は持ち手Ａ、Ｂの板片１ａと爪４とで挟持することとなる。
【００３８】
さらに、上記実施の形態例１、２ではこの考案の持ち手Ａ、Ｂを分電盤Ｃの運搬に使用したが、分電盤Ｃに限らず、立方体を含む略直方体形状の重量物であって、底面や上面又は側面に係止体の入る小孔が設けられているものでれば、運搬に際し、この考案の持ち手を使用することができる。
【符号の説明】
【００３９】
Ａ      持ち手                      Ｂ      持ち手
Ｃ      分電盤
１      本体                        １ａ    板片                      
１ｂ    板片                        ２      貫通長孔
３      係止体                      ３ａ    外周ネジ                    
４      爪                          ５      ナット
６      ワッシャー                  ７      支持脚
７´    支持脚                      ８      把手
９      小孔                        １０    切欠部
【図１】
0003210401.tif 000003
【図２】
0003210401.tif 000004
【図３】
0003210401.tif 000005
【図４】
0003210401.tif 000006
【図５】
0003210401.tif 000007
【図６】
0003210401.tif 000008
【図７】
0003210401.tif 000009
【図８】
0003210401.tif 000010
【図９】
0003210401.tif 000011
【図１０】
0003210401.tif 000012
【図１１】
0003210401.tif 000013
【図１２】
0003210401.tif 000014
【図１３】
0003210401.tif 000015
【図１４】
0003210401.tif 000016
【図１５】
0003210401.tif 000017
【図１６】
0003210401.tif 000018